(57)【特許請求の範囲】
【請求項１】
ラベル選択候補を表示する表示装置であって、
前記ラベル選択候補の表示指示を行う表示指示部と、
前記表示指示が行われた表示指示日を基準にした期間であって、当該表示指示日以前の所定期間を特定する所定期間特定部と、
前記表示指示部による表示指示にしたがって、前記所定期間内に印刷指示が行われたラベルを、前記ラベル選択候補として表示する表示部と、を備え、
前記所定期間特定部は、前記表示指示日の年の前年以前において、当該表示指示日との同一日を含んだ所定期間を特定することを特徴とする表示装置。
【請求項２】
前記表示部は、前記所定期間内に印刷指示が行われたラベルのラベル選択候補を、印刷指示回数に応じた順序で表示することを特徴とする請求項１に記載の表示装置。
【請求項３】
前記表示部は、前記所定期間内に印刷指示が行われたラベルのラベル選択候補を、印刷枚数に応じた順序で表示することを特徴とする請求項１に記載の表示装置。
【請求項４】
前記表示部は、前記所定期間内に印刷指示が行われたラベルのラベル選択候補を、当該ラベルの印刷指示日が、前記表示指示日の年の前年以前において、前記表示指示日との同一日に近い順序で表示することを特徴とする請求項１に記載の表示装置。
【請求項５】
前記ラベルを特定するラベル情報と当該ラベルの作成者を特定する作成者情報とを関連付けて記憶する記憶部と、
前記作成者情報を取得する作成者情報取得部と、をさらに備え、
前記表示部は、前記所定期間内に印刷指示が行われたラベルのうち、取得した前記作成者情報に関連付けられたラベルのラベル選択候補を表示することを特徴とする請求項１ないし４のいずれかに記載の表示装置。
【請求項６】
前記所定期間特定部は、前記表示指示日以前の天候履歴に基づいて、前記所定期間を補正することを特徴とする請求項１ないし５のいずれかに記載の表示装置。
【請求項７】
請求項１ないし６のいずれかに記載の表示装置と、
前記ラベルを印刷するラベル印刷部と、を備えたことを特徴とするラベル印刷装置。
【請求項８】
ラベル選択候補を表示する表示方法であって、
前記ラベル選択候補の表示指示を行う表示指示ステップと、
前記表示指示が行われた表示指示日を基準にした期間であって、当該表示指示日以前の所定期間を特定する所定期間特定ステップと、
前記所定期間内に印刷指示が行われたラベルを、前記ラベル選択候補として表示する表示ステップと、を備え、
前記所定期間特定ステップは、前記表示指示日の年の前年以前において、当該表示指示日との同一日を含んだ所定期間を特定することを特徴とする表示方法。
【請求項９】
前記表示ステップは、前記所定期間内に印刷指示が行われたラベルのラベル選択候補を、印刷指示回数または印刷枚数に応じた順序で表示することを特徴とする請求項８に記載の表示方法。
【請求項１０】
前記ラベルを特定するラベル情報と当該ラベルの作成者を特定する作成者情報とを関連付けて記憶する記憶ステップと、
前記作成者情報を取得する作成者情報取得ステップと、をさらに備え、
前記表示ステップは、前記所定期間内に印刷指示が行われたラベルのうち、取得した前記作成者情報に関連付けられたラベルのラベル選択候補を表示することを特徴とする請求項８または９に記載の表示方法。
【請求項１１】
前記所定期間特定ステップは、前記表示指示日以前の天候履歴に基づいて、前記所定期間を補正することを特徴とする請求項８ないし１０のいずれかに記載の表示方法。
【発明の詳細な説明】
【技術分野】
【０００１】
本発明は、ラベル選択候補を表示する表示装置、ラベル印刷装置および表示方法に関するものである。
【背景技術】
【０００２】
従来、作成した複数のラベルデータを記憶し、記憶したラベルデータの中から所望のデータを呼び出してラベルを印刷するテープ印刷装置が知られている（特許文献１参照）。当該装置は、作成したラベルデータをファイルとして登録し、登録したファイル（ラベルデータ）を、ラベル選択候補としてファイル番号順に表示する。このように表示されたラベル選択候補の中から所望の候補を選択することにより、過去に作成したラベルデータに基づくラベルを容易に印刷することができる。
【先行技術文献】
【特許文献】
【０００３】
【特許文献１】特開２０１０−１７３０７２号公報
【発明の概要】
【発明が解決しようとする課題】
【０００４】
ところで、周期的に収穫される農作物のように、年のうちある期間にのみ出荷・販売される商品がある。このように周期的な販売時期を有する商品に貼付するラベルは、この販売時期に限定されて印刷される場合が多い。よって、販売時期になって、以前の販売時期に印刷したラベルとおなじものを印刷したい場合、記憶したラベルデータの中から以前の販売時期に印刷した所望のラベルデータを探し出す必要がある。
【０００５】
しかし、上記の装置は、記憶したラベルデータを、印刷した時期とは無関係のファイル番号順に表示するため、所望のラベルを探すのに１つ１つのラベルの内容を確認する必要がある。よって、表示されるラベルデータが多数ある場合には非常に利便性が悪い。また、印刷した時期をユーザーが指定してラベルデータを表示させることも考えられるが、時期の指定に手間がかかると共に誤った時期を指定しまう虞もある。
【０００６】
本発明は、上記の点に鑑み、過去に印刷したラベルのうち所望の時期に印刷したラベルを、容易にラベル選択候補としてユーザーに提示することのできる表示装置、ラベル印刷装置および表示方法を提供することを目的とする。
【課題を解決するための手段】
【０００７】
本発明の表示装置は、ラベル選択候補を表示する表示装置であって、ラベル選択候補の表示指示を行う表示指示部と、表示指示が行われた表示指示日を基準にした期間であって、当該表示指示日以前の所定期間を特定する所定期間特定部と、表示指示部による表示指示にしたがって、所定期間内に印刷指示が行われたラベルを、ラベル選択候補として表示する表示部と、を備え、所定期間特定部は、表示指示日の年の前年以前において、当該表示指示日との同一日を含んだ所定期間を特定することを特徴とする。
【０００８】
本発明の表示方法は、ラベル選択候補を表示する表示方法であって、ラベル選択候補の表示指示を行う表示指示ステップと、表示指示が行われた表示指示日を基準にした期間であって、当該表示指示日以前の所定期間を特定する所定期間特定ステップと、所定期間内に印刷指示が行われたラベルを、ラベル選択候補として表示する表示ステップと、を備え、所定期間特定ステップは、表示指示日の年の前年以前において、当該表示指示日との同一日を含んだ所定期間を特定することを特徴とする。
【００１０】
これらの構成によれば、表示指示日に基づいた所定期間内に印刷指示されたラベルが抽出・表示されるため、所望の時期に印刷されたラベルを容易にユーザーに提示することができる。また、表示指示日に基づいて所定期間を特定するため、周期的に訪れる期間を容易に特定することができる。また、ユーザーが、ラベルの内容（例えば、ラベルを貼付する商品名など）を把握していない場合であっても、自動的に所定期間に印刷指示されたラベルが抽出・表示されるため、ユーザーは、所望のラベルを容易に探し出すことができる。
また、１年周期で訪れる所定期間を特定し、当該所定期間内に印刷指示されたラベルを抽出・表示することができる。例えば、一毛作の農作物など１年周期で収穫時期が訪れる商品の商品ラベルを作成する場合に利便性がよい。
【００１３】
また、この場合、表示部は、所定期間内に印刷指示が行われたラベルのラベル選択候補を、印刷指示回数に応じた順序で表示することが好ましい。
【００１４】
この構成によれば、所定期間内において頻繁に印刷指示が行われたラベルを上位のラベル選択候補として提示することができる。また、過去の所定期間内における印刷状況を提示することができる。
【００１５】
また、表示部は、所定期間内に印刷指示が行われたラベルのラベル選択候補を、印刷枚数に応じた順序で表示することが好ましい。
【００１６】
この構成によれば、所定期間内において印刷枚数の多いラベルを上位のラベル選択候補として提示することができる。また、過去の所定期間内における印刷状況を提示することができる。
【００１７】
また、表示部は、所定期間内に印刷指示が行われたラベルのラベル選択候補を、当該ラベルの印刷指示日が、表示指示日の年の前年以前において、表示指示日との同一日に近い順序で表示することが好ましい。
【００１８】
この構成によれば、表示指示日と近い時期に印刷指示が行われたラベルを上位のラベル選択候補として提示することができる。よって、前年以前の表示指示日との同一日に印刷したラベルを印刷する場合、印刷する可能性の高いラベルをラベル選択候補として提示することができる。
【００１９】
上記の表示装置において、ラベルを特定するラベル情報と当該ラベルの作成者を特定する作成者情報とを関連付けて記憶する記憶部と、作成者情報を取得する作成者情報取得部と、をさらに備え、表示部は、所定期間内に印刷指示が行われたラベルのうち、取得した作成者情報に関連付けられたラベルのラベル選択候補を表示することが好ましい。
【００２０】
この構成によれば、所定期間内に印刷指示が行われたラベルのうち、作成者情報が特定する作成者により作成されたラベルのみを表示することができる。よって、ユーザーは自身が以前作成したラベルを容易に探し出すことができる。
【００２１】
上記の表示装置において、所定期間特定部は、表示指示日以前の天候履歴に基づいて、所定期間を補正することが好ましい。
【００２２】
この構成によれば、天候により、ラベルを添付する商品の販売時期と以前の販売時期とにズレが生じた場合にも、適切な期間を特定することができる。なお、表示指示日以前の天候履歴は、外部から取得してもよいし、外気温を測定する測定部を備え、表示指示日以前の測定結果の履歴を天候履歴として利用してもよい。
【００２３】
本発明のラベル印刷装置は、上記の表示装置と、ラベルを印刷するラベル印刷部と、を備えたことを特徴とする。
【００２４】
この構成によれば、過去に印刷したラベルのうち所望の時期に印刷したラベルを容易に印刷することができる。
上記の表示方法において、表示ステップは、所定期間内に印刷指示が行われたラベルのラベル選択候補を、印刷指示回数または印刷枚数に応じた順序で表示することが好ましい。
上記の表示方法において、ラベルを特定するラベル情報と当該ラベルの作成者を特定する作成者情報とを関連付けて記憶する記憶ステップと、作成者情報を取得する作成者情報取得ステップと、をさらに備え、表示ステップは、所定期間内に印刷指示が行われたラベルのうち、取得した作成者情報に関連付けられたラベルのラベル選択候補を表示することが好ましい。
上記の表示方法において、所定期間特定ステップは、表示指示日以前の天候履歴に基づいて、所定期間を補正することが好ましい。
【図面の簡単な説明】
【００２５】
【図１】本発明の一実施形態に係るラベル印刷装置の模式外観図である。
【図２】ラベル印刷装置の制御ブロック図である。
【図３】記憶部の記憶内容を示す図である。
【図４】ラベル印刷装置の機能ブロック図である。
【図５】ラベル印刷装置によるラベルの選択候補表示処理を示すフローチャートである。
【図６】ラベル印刷時の画面遷移図である。
【図７】第２選択候補表示画面の３つの表示例を示す図である。
【発明を実施するための形態】
【００２６】
以下、添付の図面を参照し、本発明にかかる表示装置、ラベル印刷装置、表示方法およびプログラムについて説明する。以下に説明する実施形態では、表示装置およびラベル印刷装置として、一毛作の農作物など１年周期で収穫時期が訪れる商品の商品ラベルを印刷するラベル印刷装置１を例示する。図１は、ラベル印刷装置１の外観を模式的に示した図である。図示のように、ラベル印刷装置１は、タッチパネルディスプレイ２およびラベル排出口３を備え、内部には、プリント機構４および制御装置５（いずれも図２参照）を備えている。タッチパネルディスプレイ２は、ラベルを発行するための各種画面を表示する表示部として、また、各種操作を行うための操作部として、機能する（図６参照）。利用者は、タッチパネルディスプレイ２に表示されるラベルの選択候補４１を選択することによって、所望のラベルの印刷を行う。ラベル排出口３は、タッチパネルディスプレイ２の操作に応じて印刷されたラベルを排出する。
【００２７】
図２は、ラベル印刷装置１の制御構成を示すブロック図である。図示のように、ラベル印刷装置１は、プリント機構４、温度測定器６、タッチパネルディスプレイ２および制御装置５を備えている。プリント機構４は、印刷ヘッド、用紙搬送機構、用紙カット機構など、用紙に印刷を行いラベルを発行するための各構成を備えている（いずれも図示省略）。温度測定器６は、ラベル印刷装置１が設置されている場所における外気温を測定する。なお、温度測定器６の測定結果の履歴は不図示の記憶部に記憶される。
【００２８】
制御装置５は、プリント機構４の各構成を駆動させるドライバー群１１、ラベルの印刷データを記憶する記憶部１２、計時部１３およびこれらを統括制御する制御部１４を備えている。計時部１３は、ＲＴＣ（Real  Time  Clock）で構成され、現在日時を計時する。制御部１４は、ドライバー群１１を介したプリント機構４の駆動制御や、タッチパネルディスプレイ２の表示制御を行う。
【００２９】
図３は、ラベル印刷装置１の記憶部１２の記憶内容を示している。図示のように、記憶部１２は、ラベルごとに、印刷データ、過去の印刷指示日、累計印刷回数、累計印刷枚数、および利用者ＩＤを記憶している。印刷データには、ラベルに印刷される画像データやテキストデータ、印刷サイズなど（いずれも図示省略）が含まれている。ラベルは、この印刷データに基づいて発行される。なお、「ラベル情報」とは、この印刷データをさす。一方、利用者ＩＤは、ラベル印刷装置１の利用者に割り当てられたユニークなＩＤであり、本実施形態においてラベルの作成者を示す（作成者情報）。
【００３０】
図４は、ラベル印刷装置１の機能構成を示したブロック図である。図示のように、ラベル印刷装置１は、表示指示部２１、抽出期間特定部２２、利用者ＩＤ取得部２３、ラベル抽出部２４、表示部２５、印刷指示部２６、およびラベル印刷部２７を備えている。
【００３１】
表示指示部２１は、ラベルの印刷または編集などを行うために、前年の同時期に印刷指示されたラベルの選択候補４１を表示させる表示指示を行う。この表示指示部２１は、主にタッチパネルディスプレイ２に表示される第１選択候補表示画面Ｄ３のボタン４２ｃ（図６参照）により実現される。抽出期間特定部２２（所定期間特定部）は、記憶しているラベルの中から、選択候補４１として表示させるラベルを抽出するための抽出期間を特定する。この抽出期間は、過去の印刷指示日によって記憶しているラベルを限定するものであり、抽出期間の特定方法については、後述する。利用者ＩＤ取得部２３は、主に、タッチパネルディスプレイ２に表示されるログイン画面Ｄ１（図６参照）により実現され、ラベル印刷装置１の利用者ＩＤを取得する。ラベル抽出部２４は、記憶しているラベルのうち、取得した利用者ＩＤに関連付けられたラベルを抽出し、さらに、上記の抽出期間内に印刷指示が行われたラベルを抽出する。表示部２５は、抽出したラベルを選択候補４１として表示する。この表示部２５は、主に、タッチパネルディスプレイ２に表示される第２選択候補表示画面Ｄ４（図６および図７参照）により実現される。印刷指示部２６は、選択候補４１として表示されたラベルについて印刷指示を行う。印刷指示部２６は、主に、タッチパネルディスプレイ２に表示される印刷画面Ｄ５（図６参照）により実現される。ラベル印刷部２７は、主に制御部１４およびプリント機構４によって実現され、印刷指示部２６の印刷指示にしたがって、ラベルを印刷する。
【００３２】
ここで、図５のフローチャートを参照し、ラベルの選択候補表示処理について説明する。先ず、ラベル印刷装置１は、ラベルの選択候補４１の表示指示信号を受信すると（Ｓ０１）、前年における現在日と同一日（以下、基準日という）の前後１．５ヶ月を抽出期間として特定する（Ｓ０２）。例えば、現在日（表示指示日）が２０１１年１月1日であった場合、基準日である２０１０年１月１日の前後１．５ヶ月が抽出期間となる。なお、現在日（表示指示日）は、上記の計時部１３により計時された日付を用いる。また、基準日前後の期間の長さは、利用者によって設定可能とすることが好ましい。
【００３３】
続いて、温度測定器６の測定結果の履歴に基づいて、現在日を含む前１週間の平均気温と、基準日を含む前１週間の平均気温と、を比較する（Ｓ０３）。現在日を含む前１週間の平均気温および基準日を含む前１週間の平均気温の温度差が所定値より大きかった場合（Ｓ０４：Ｎｏ）、平年の気温推移に倣って抽出期間を前後に補正する（Ｓ０５）。例えば、平年の気温推移が１月１日の前後で下降傾向にあり、２０１１月１月１日（現在日）を含む前１週間の平均気温が、２０１０月１月１日（基準日）を含む前１週間の平均気温よりも所定値以上低い値であった場合、抽出期間を後に補正する。なお、平年の気温推移は、不図示の記憶部に記憶されているものとする。このように、気温に基づいて抽出期間を補正することにより、より現在日の気候あった適切な抽出期間を特定することができる。
【００３４】
一方、現在日を含む前１週間の平均気温および基準日を含む前１週間の平均気温の温度差が所定値以下であった場合（Ｓ０４：Ｙｅｓ）、記憶しているラベルの中から、特定した抽出期間内において印刷指示されたラベルを抽出する（Ｓ０６）。実際には、ログイン画面Ｄ１による利用者ＩＤ入力時に、記憶しているラベルから当該利用者ＩＤに関連付けられたラベルが抽出されており、この抽出されたラベルの中から抽出期間内に印刷指示されたラベルを抽出する。そして、抽出したラベルを選択候補４１として表示する（Ｓ０７）。
【００３５】
なお、Ｓ０３〜Ｓ０５において説明した平均気温を比較する期間や抽出期間の補正方法などは、上記に限られるものではない。また、ラベル印刷装置１にインターネット通信機能を搭載し、当該インターネット通信機能を用いてＷｅｂ上のサーバーから、気温、雨量および湿度などの天候情報を取得し、この天候情報を抽出期間の補正に用いてもよい。
【００３６】
次に、図６を参照し、タッチパネルディスプレイ２に表示される各種画面について説明する。最初に、タッチパネルディスプレイ２には、ログイン画面Ｄ１が表示される。ログイン画面Ｄ１には、利用者ＩＤおよび暗証番号を入力するためのテキストボックスおよびテンキーと、ログインボタンと、が表示される。利用者ＩＤおよび暗証番号が入力され、ログインボタンが押下されると、画面は、メインメニュー画面Ｄ２に移行する。
【００３７】
メインメニュー画面Ｄ２には、印刷メニューボタン、編集メニューボタン、新規作成ボタン、削除メニューボタン、印刷履歴ボタン、暗証番号変更ボタンが表示される。印刷メニューボタンは、記憶部１２に記憶されている任意の印刷データに基づいたラベルを印刷する画面に移行するためのボタンである。編集メニューボタンは、記憶部１２に記憶されている任意の印刷データを編集する画面に移行するためのボタンである。新規作成ボタンは、利用者が印刷データを新規作成する画面に移行するためのボタンである。削除メニューボタンは、記憶されている任意の印刷データを削除する画面に移行するためのボタンである。印刷履歴ボタンは、ラベルの印刷履歴を表示するためのボタンであり、暗証番号変更ボタンは、暗証番号を変更するためのボタンである。これらのボタンのうち、印刷メニューボタン、編集メニューボタンおよび削除メニューボタンが押下されると、画面は、第１選択候補表示画面Ｄ３に移行する。なお、以下、印刷メニューボタンが押下されたものとして説明を進める。
【００３８】
第１選択候補表示画面Ｄ３は、記憶されているラベルから、入力された利用者ＩＤに関連付けられたすべてのラベルを選択候補４１として表示する。図６に示すように、第１選択候補表示画面Ｄ３は、画面左側に６つの選択候補４１を、画面右側に選択候補４１の表示方法を変更するための表示方法変更ボタン４２を表示する。表示方法変更ボタン４２は、選択候補４１を、「最近使用した順」で表示させるためのボタン４２ａと、「累計印刷枚数の多い順」で表示させるためのボタン４２ｂと、前年の同時期に印刷されたラベルのみを選択候補４１として表示させるためのボタン４２ｃ（表示指示部）と、を有している。なお、「最近使用した順」とは、印刷または編集が行われた日が現在日に近い順を意味する。第１選択候補表示画面Ｄ３において、選択候補４１は、デフォルト表示方法である「最近使用した順」で表示される。よって、図示のようにボタン４２ａが選択された状態で表示される。また、図示のように、入力された利用者ＩＤに関連付けられたラベルが６つ以上である場合は、選択候補４１の下方にページ切り替えボタンが表示される。利用者は、表示される選択候補４１の中から所望のラベルを選択する。そして、任意のラベルが選択されると、画面は、印刷画面Ｄ５に移行する。一方、表示方法変更ボタン４２のうち、前年の同時期に印刷されたラベルのみを選択候補４１として表示させるボタン４２ｃが押下された場合、画面は、第２選択候補表示画面Ｄ４に移行する。
【００３９】
第２選択候補表示画面Ｄ４は、第１選択候補表示画面Ｄ３と同様に、画面左側に６つの選択候補４１を、画面右側に表示方法変更ボタン４２を表示する。表示される選択候補４１は、前述した方法により抽出されたラベルを示すものである。この選択候補４１のうち、任意のラベルが選択されると、画面は、印刷画面Ｄ５に移行する。
【００４０】
印刷画面Ｄ５は、選択された選択候補４１に対応するラベルのラベルイメージ３１と、印刷枚数を入力するためのテキストボックス、テンキーおよび印刷ボタンが表示される。印刷枚数が入力され、印刷ボタンが押下されると、選択された選択候補４１の印刷データに基づいて、ラベルが、設定した枚数印刷される。
【００４１】
図７は、現在日が２０１１年１月１日である場合の第２選択候補表示画面Ｄ４を示している。図示のように、抽出期間は、基準日２０１０年１月１日の前後１．５ヶ月であるため、２００９年１１月１５日〜２０１０年２月１５日と特定される。図示のように、各選択候補４１は、ラベルのラベルイメージ３１と、ラベルの印刷情報３２と、で構成される。同図（ａ）に示す第２選択候補表示画面Ｄ４は、ラベルの印刷情報３２として直近の印刷指示日および累計印刷回数（カッコ内に示されている数字）が表示され、各選択候補４１は、ラベルの累計印刷回数が多い順に並べて表示される。同図（ｂ）に示す第２選択候補表示画面Ｄ４は、ラベルの印刷情報３２として直近の印刷指示日および累計印刷枚数（カッコ内に示されている数字）が表示され、各選択候補４１は、ラベルの累計印刷枚数が多い順に並べて表示される。同図（ｃ）に示す第２選択候補表示画面Ｄ４は、ラベルの印刷情報３２として直近の印刷指示日が表示され、各選択候補４１は、ラベルの印刷指示日が基準日（前年における現在日と同一日）に近い順に並べて表示される。このように、前年の同時期に印刷指示されたラベルをさらに、累計印刷回数、累計印刷枚数、および印刷指示日に基づいた順で表示することによって、利用者のラベルの検索を容易にすることができる。なお、上記の３つの表示順を利用者が選択可能であることが好ましい。
【００４２】
これまで説明してきた、ラベル印刷装置１によれば、現在日（表示指示日）を基準として、前年の同時期に印刷指示されたラベルを抽出し、抽出したラベルを選択候補４１として表示するため、一毛作の農作物など１年周期で収穫時期が訪れる商品の商品ラベルを印刷する際に、前年のラベルを容易に検索し、印刷することができる。
【００４３】
なお、現在日（表示指示日）を基準とした抽出期間は、上記の実施形態における１年周期を前提としたものでなくてもよい。現在日を基準に特定する抽出期間を、例えば、現在日を含む前６ヶ月間や、現在日から３ヶ月前を基準日とし、基準日を含む所定期間など、としてもよい。
【００４４】
また、上記の実施形態において、ラベルを発行するプリント機構４および制御装置５が一体となったラベル印刷装置１を例示したが、プリント機構４および制御装置５は、別体の装置であってもよい。
【００４５】
なお、上記のラベル印刷装置１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード、コンパクトディスク、光磁気ディスク、デジタルバーサタイルディスクおよびフレキシブルディスク等を利用することができる。
【００４６】
また、上述した実施例によらず、ラベル印刷装置１の装置構成や処理工程等について、本発明の要旨を逸脱しない範囲で、適宜変更も可能である。
【符号の説明】
【００４７】
１：ラベル印刷装置  ２：タッチパネルディスプレイ  ４：プリント機構  ６：温度測定器  １４：制御部  ２１：表示指示部  ２２：抽出期間特定部  ２３：利用者ＩＤ取得部  ２５：表示部  ２６：印刷指示部  ２７：ラベル印刷部  ４１：選択候補  ４２：表示方法変更ボタン（４２ｃ：ボタン）  Ｄ４：第２選択候補表示画面
【図１】
0005831017.tif 000002
【図２】
0005831017.tif 000003
【図３】
0005831017.tif 000004
【図４】
0005831017.tif 000005
【図５】
0005831017.tif 000006
【図６】
0005831017.tif 000007
【図７】
0005831017.tif 000008